(57)【要約】【課題】本発明は廃棄用ＡＢＣ粉末消火薬剤を原料とした防火剤、及び植物用肥料の製造法を提供する。【解決手段】廃棄用ＡＢＣ粉末消火薬剤のリサイクルに設備等多額の費用が必要となるが、有機溶剤で防湿性、撥水性を除去することで粉末消火薬剤としての特性、すなわち飛散性、水面浮遊性、疏水性等をなくし、低コストでの水溶液防火剤の製造法を提供すると共に１００％リサイクルを目指す。【選択図】図１
2016160426.tif 000002
【特許請求の範囲】
【請求項１】
廃棄用ＡＢＣ粉末消火薬剤を原料とし、有機溶剤により防湿性、撥水性を除去した水溶液防火剤の製造法。
【請求項２】
水溶液防火剤の成分のみを抽出した粉末状の防火剤製造法。
【請求項３】
防火剤製造過程で発生する沈殿物を再利用した植物用肥料の製造法。
【発明の詳細な説明】
【技術分野】
【０００１】本発明は廃棄用粉末消火器の消火薬剤を原料とし、消火薬剤の有効成分のリン酸塩類等を活用した防火剤の製造法を提供する。
【背景技術】
【０００２】消火器用消火薬剤の技術上の規格を定める省令（昭和３９年９月１７日自治省令２８号）「第７条」には以下の条件が規定されている。
１．  ＪＩＳ  Ｚの呼び寸法１８０マイクロメートル以下の消火上有効な微細な粉末であ      ること。
２．  温度３０℃及び相対湿度６０％の恒温恒湿槽中に４８時間以上恒量となるまで静観      した後に、温度３０℃及び相対湿度８０％の恒温恒湿槽中に４８時間静観する試験      において重量増加率２％以下であること。
３．  水面に均一に散布した場合において、１時間以内に沈降しないこと。
（この条件をみたすために、粉末消火薬剤にシリコン樹脂等で架橋されることで防      湿、撥水性が付与されている。）
再利用消火薬剤のうち粉末消火薬剤は、前２項に定めるもののほか、次の各号に適合するものでなければならない。
▲１▼含水率２％以下であること。
▲２▼均質であって、かつ固化を生じないような措置が講じられていること。【０００３】シリコン樹脂はシロキサン結合を骨格としたポリマーの総称であり、シリコン樹脂のその外側がメチル基で覆われている。このメチル基はシロキサンと結合され、消火薬剤としての防湿、撥水性に直接機能している。【０００４】粉末消火器の耐用年数は概ね８年といわれるが、消火器本体の腐食等から、破裂事故での死亡及び重傷事故事案が多発したことが契機となって、平成１３年以降、不要消火器の回収が展開された。経緯は、非特許文献１．に報告されている。また消火器点検等により粉末消火器の機能の有無に関わらずに定期的に新しい薬剤に詰め替えられる事が一般的で、回収された薬剤は、処理困難廃棄物として消防庁を中心に防災物品リサイクル推進委員会が設置された。【０００５】消火器専門部会のなかでの検討の結果、ケミカル処理することで、粉末消火薬剤として再原料化し、その原料を４０％以内まで使用した消火器にエコマークを付けて使用することを認可した。【０００６】特許文献１には、再生消火薬剤に適さないものであっても、粉末消火薬剤中に含まれるリン酸塩類を衝撃、剪断、摩擦の特殊な表面改質技術によって肥料原料に加工することが開示されている。【０００７】特許文献２に記載されている、廃棄石膏ボードと廃棄用消火薬剤を利用した農林用地肥料化改良材が開示されているが、圃場のＰＨ是正に使用する
程度で通常では使用しない。【０００８】また特許文献３には、粉末消火薬剤廃棄物で家畜排泄物の堆積上部を覆うことによって、アンモニア、メタン等の環境負荷ガスの排泄を抑制することが開示されている。【０００９】このように従来開示された粉末消火薬剤の再処理には、それぞれ欠点をもっている、特に特許文献１で製造された肥料は、肥料原料としては優れるものの、廃棄用粉末消火薬剤の表面改質等に多額の設備費がかかりランニングコストを考えると、経費的に無理が生じる。
【先行技術文献】
【特許文献】
【００１０】
【特許文献１】特許第３７７２１８１号公報
【特許文献２】特開２００６−１５１７８６号公報
【特許文献３】特開２００７−０２１２９５号公報
【非特許文献】
【００１１】
【非特許文献１】『消火器・防災物品リサイクルの推進』総務省消防庁の消火器・防災物品リサイクル推進委員会平成１７年３月発行
【発明の概要】
【発明が解決しようとする課題】
【００１２】本発明は、廃棄用消火器の消火薬剤の特性、ＡＢＣ粉末消火薬剤の有効成分であるリン酸塩類の効果を活かした、特に普通火災に対しての再燃防止効果を活かした防火剤の製造法を提供する。
【課題を解決するための手段】
【００１３】本発明は、廃棄用粉末消火薬剤に有機溶剤又は、アルコール類を添加することにより防湿性、撥水性を除去し、水面浮遊性、飛散性等粉末消火薬剤としての特性をなくし、親水性を付与することである。【００１４】本発明は防湿、撥水性を除去することで、処理困難廃棄物とされた粉末消火薬剤をリサイクルすることである。【００１５】具体的には廃棄用粉末消火薬剤に有機溶剤又は、アルコール類を添加し、撹拌して防湿、撥水性を除去し親水性を付与する。【００１６】防湿、撥水性を除去し、液状化した薬剤に水を加え撹拌し、長時間放置し、薬剤を分離させる。【００１７】上部に不純物、中間に水溶液、底部に不溶解沈殿物に分離し、中間の水溶液部を防火剤とする。底部の沈殿物は植物の肥料として再利用できる。
【発明の効果】
【００１８】処理困難廃棄物の処理に多額の設備費を掛けずに低コストでのリサイクルが可能になり、社会に貢献できる防火剤に生まれ変わる。【００１９】特にＡＢＣ粉末消火薬剤の特性である、木造火災にたいしての一度燃焼した部分に薬剤を散布すれば再燃しないという効果を引き出した防火剤である。【００２０】防火剤は住宅建材等に使用することにより、延焼、類焼等火災防止効果が期待できる。【００２１】防火剤は衣料品等にも浸透させることにより燃えにくくし全身火傷等による被害者を少しでも減少させることが期待できる。【００２２】本発明の防火剤を既存木造家屋等の外壁に塗布することで、震災時の火災延焼防止効果も期待できる。
【図面の簡単な説明】
【００２３】
【図１】は、消火器内薬剤を別容器へ３００ｇ移した図である。
【００２４】
【図２】は、消火薬剤３００ｇの入った容器に有機溶剤１００ｃｃを注入し、よく撹拌する状態を示した図である。
【００２５】
【図３】は、よく撹拌して半ねり状態になったところに水を３００ｃｃを加えてさらに撹拌した状態をしめす。
【００２６】
【図４】は、撹拌後約１２時間経過した状態を示す。上部に不純物、中間に水溶液、底部に沈殿物の三層に分離させ、中間部を防火剤、底部を肥料として抽出する。
【発明を実施するための形態】
【００２７】以下、本発明の実施の形態を実施例で説明する。
【実施例１】
【００２８】廃棄用ＡＢＣ粉末消火薬剤を抜き取り別容器に移し替え、そこに有機溶剤又は、アルコール類を添加し撹拌し、１２時間以上放置する。【００２９】１２時間以上放置した後、上部に不純物、中間に水溶液、底部に沈殿物の三層に分離した事を確認する。【００３０】中間の水溶液部を抽出し、濾過する。【００３１】濾過した水溶液部を防火剤原液とする。
【実施例２】
【００３２】上部の不純物及び底部の沈殿物は乾燥させて粉末状とする。【００３３】乾燥させた粉末は窒素、リン酸を含んでおり植物用肥料として利用できる。
【実施例３】
【００３４】水溶液防火剤を加熱し水分を蒸発させ、保存が長期可能な粉末状に変換させる、また使用する際には水で希釈して使用するものとする。
【図１】
2016160426.tif 000003
【図２】
2016160426.tif 000004
【図３】
2016160426.tif 000005
【図４】
2016160426.tif 000006